(57)【要約】【課題】本発明は、操作が容易で、且つ安全性が高いパスワード管理装置、そのパスワード管理システム、及びその管理方法を提供することを目的とする。【解決手段】本発明のパスワード管理装置は、ＵＳＢインターフェースを介してコンピュータと接続されると、ユーザから指紋を採取し、指紋とパスワード管理装置の指紋とを照合して、一致するかどうかを認証する指紋認識モジュールと、ユーザの指紋の認証に失敗した際、警報を鳴らす警報器と、ユーザの指紋の認証に成功した場合、押圧されてアプリケーションシステムのログイン画面を開く検索ボタンと、押圧されてログイン名のデータをログイン画面のログイン名の入力欄に書き込むログイン名抽出ボタンと、押圧されてパスワードのデータをログイン画面のパスワードの入力欄に書き込むパスワード抽出ボタンと、をさらに備える。【選択図】図４
2013242868.tif 000002
【特許請求の範囲】
【請求項１】
ＵＳＢインターフェースと、記憶部と、を備えるパスワード管理装置において、
前記パスワード管理装置は、
前記パスワード管理装置が前記ＵＳＢインターフェースを介してコンピュータと接続されると、ユーザから指紋を採取し、該採取した指紋と前記パスワード管理装置に記憶されている指紋とを照合して、一致するかどうかを認証する指紋認識モジュールと、
ユーザの指紋の認証に失敗した場合、警報を鳴らす警報器と、
ユーザの指紋の認証に成功した場合、押圧されてそれと接続されているコンピュータでログインの際に必要なアプリケーションシステムのログイン画面を開く検索ボタンと、
押圧されて、前記記憶部からログイン名のデータを引き出し、且つ該ログイン名のデータを前記ログイン画面のログイン名の入力欄に書き込むログイン名抽出ボタンと、
押圧されて、前記記憶部からパスワードのデータを引き出し、且つ該パスワードのデータを前記ログイン画面のパスワードの入力欄に書き込むパスワード抽出ボタンと、
をさらに備えることを特徴とするパスワード管理装置。
【請求項２】
前記パスワード管理装置は、バックアップボタンをさらに備え、
前記バックアップボタンが押圧された場合、前記記憶部に記憶されているログイン名とパスワードとのバックアップファイルは、予備設定されたルートに沿ってそれと接続されているコンピュータに出力され、既存のファイルと書き替えられることを特徴とする請求項１に記載のパスワード管理装置。
【請求項３】
前記パスワード管理装置は、再設定ボタンをさらに備え、前記再設定ボタンが押圧された場合、前記パスワード管理装置内の全てのデータがリセットされ、且つ再設定した後に正常的に作動されることを特徴とする請求項１又は２に記載のパスワード管理装置。
【請求項４】
パスワード管理装置に応用されるパスワード管理方法において、
パスワード管理装置をＵＳＢインターフェースを介してコンピュータに接続する接続ステップと、
記憶部にユーザの指紋のデータが記憶されている場合、指紋認識モジュールを駆動してユーザから採取し、該採取された指紋と前記パスワード管理装置に記憶されている指紋とを照合し、一致するかどうかを認証する認証ステップと、
前記採取された指紋と前記パスワード管理装置に記憶されている指紋とが一致して指紋の認証が成功した場合、検索ボタンを押圧して、ログイン画面を開くと共に、ログインの際に必要なアプリケーションシステムサイトのアドレスを読み込む読み込みステップと、
該サイトのアドレスの情報に基づいてパスワード管理装置に記憶されているアプリケーションシステムにログインで必要なログイン名とパスワードとを検索した場合、前記パスワード管理装置のログイン名抽出ボタンとパスワード抽出ボタンとを押圧して、ログイン名のデータとパスワードのデータとをログイン画面上の入力欄に書き込む書き込みステップと、
を備えることを特徴とするパスワード管理方法。
【請求項５】
前記記憶部に、ユーザの指紋のデータが記憶されていない場合、パスワード管理方法は、
パスワード管理装置をリセットし、
該リセット方法は、
コンピュータの画面上に、初期化の設定画面を表示させ、前記パスワード管理装置の指紋認識モジュールを駆動させて、ユーザの指紋を採取し、且つ該採取した指紋を前記記憶部に記憶させる採取ステップと、
認証に失敗した回数の上限を設定し、且つ該上限を記憶部に記憶させる第一設定ステップと、
警報器の警報音の効果を設定し、且つ該警報音の効果を記憶部に記憶させる第二設定ステップと、
警報器の警報電灯の色を設定し、且つ該警報電灯の色記憶部に記憶させる第三設定ステップと、
を備えることを特徴とする請求項４に記載のパスワード管理方法。
【請求項６】
前記採取された指紋のデータが、記憶部に記憶されている指紋のデータと一致しないで指紋の認証に失敗した場合、
警報器を触発して警報音を鳴らさせる触発サブステップと、
ログイン名とパスワードが毎回入力される度に、１をプラスする増加サブステップと、
入力された回数と認証に失敗した回数の最高数とを比較する比較サブステップと、
前記比較サブステップにおいて、入力された回数が認証に失敗した回数の上限以下の場合、指紋認識モジュールを駆動して、ユーザから指紋を採取し、該採取された指紋のデータと記憶部に記憶されている指紋のデータとを照合して認証し、認証に成功した場合、前記読み込みステップに進み、認証に失敗した場合、前記触発サブステップに進む認証サブステップと、
前記比較サブステップにおいて、入力された回数が認証に失敗した回数の上限より大きい場合、パスワード管理装置をロックして停止させるロックサブステップと、
ユーザの指令を受信し、この受信した指令に基づいてパスワード管理装置を再設定する必要があるかどうかを判断し、パスワード管理装置を再設定する必要がある場合、パスワード管理装置の再設定ボタンを押圧して、パスワード管理装置を初期化し、パスワード管理装置を再設定する必要がない場合、全てのステップを終了する受信サブステップと、
を備えることを特徴とする請求項４又は５に記載のパスワード管理方法。
【請求項７】
前記パスワード管理方法は、
前記ログインの際に必要なアプリケーションシステムサイトのアドレスのデータに基づいて、パスワード管理装置にアプリケーションシステムにログインするためのログイン名とパスワードとのデータが記憶されているかどうかを検索し、
記憶されていない場合、ユーザがログイン画面の入力欄に入力したログイン名とパスワードとを受信し、且つそのログイン名とパスワードとのデータを、前記パスワード管理装置の記憶部に記憶するステップをさらに備えることを特徴とする請求項４〜６のいずれか１項に記載のパスワード管理方法。
【請求項８】
前記パスワード管理方法は、ログイン名とパスワードとを保護する保護ステップをさらに備え、
前記保護ステップは、
バックアップボタンを１回押圧する押圧サブステップと、
コンピュータ上に、ログイン名とパスワードとの保護画面を開き、ユーザが入力したログイン名とパスワードとのデータを受信し、且つ記憶部に記憶させる修正サブステップと、
ログイン名とパスワードとのバックアップファイルを、予備設定されたルートに沿って入力してコンピュータに記憶させて、保護ステップを終了する出力サブステップと、
バックアップボタンを２回押圧して、コンピュータの予備設定されたルートに、ログイン名とパスワードとのバックアップファイルが、記憶されているかどうかを検索し、前記ログイン名とパスワードとのバックアップファイルが記憶されていない場合、前記修正サブステップに戻り、前記ログイン名とパスワードとのバックアップファイルが記憶されている場合、下記の入力サブステップに進む検索サブステップと、
ログイン名とパスワードバックアップとのファイルを、コンピュータから前記パスワード管理装置に入力して、前記パスワード管理装置の既存のデータと書き替える入力サブステップと、
を備えることを特徴とする請求項４〜７のいずれか１項に記載のパスワード管理方法。
【請求項９】
パスワード管理装置に応用されるパスワード管理システムにおいて、
記憶部にユーザの指紋のデータが記憶されている場合、指紋認識モジュールを駆動してユーザから採取し、該採取された指紋と前記パスワード管理装置に記憶されている指紋とを照合して、一致するかどうかを認証する認証ステップと、
前記採取された指紋と前記パスワード管理装置に記憶されている指紋とが一致して指紋の認証が成功した場合、検索ボタンを押圧して、ログイン画面を開くと共に、ログインの際に必要なアプリケーションシステムサイトのアドレスを読み込む読み込みステップと、
該サイトのアドレスの情報に基づいてパスワード管理装置に記憶されているアプリケーションシステムにログインで必要なログイン名とパスワードとを検索した場合、前記パスワード管理装置のログイン名抽出ボタンとパスワード抽出ボタンとを押圧して、ログイン名のデータとパスワードのデータとをログイン画面上の入力欄に書き込む書き込みステップと、
を備えることを特徴とするパスワード管理システム。
【請求項１０】
前記記憶部に、ユーザの指紋のデータが記憶されていない場合、パスワード管理方法は、
パスワード管理装置をリセットし、
該リセット方法は、
コンピュータの画面上に、初期化の設定画面を表示させ、前記パスワード管理装置の指紋認識モジュールを駆動させて、ユーザの指紋を採取し、且つ該採取した指紋を前記記憶部に記憶させる採取ステップと、
認証に失敗した回数の上限を設定し、且つ該上限を記憶部に記憶させる第一設定ステップと、
警報器の警報音の効果を設定し、且つ該警報音の効果を記憶部に記憶させる第二設定ステップと、
警報器の警報電灯の色を設定し、且つ該警報電灯の色記憶部に記憶させる第三設定ステップと、
を備えることを特徴とする請求項９に記載のパスワード管理システム。
【請求項１１】
前記採取された指紋のデータが、記憶部に記憶されている指紋のデータと一致しないで指紋の認証に失敗した場合、
警報器を触発して警報音を鳴らさせる触発サブステップと、
ログイン名とパスワードが毎回入力される度に、１をプラスする増加サブステップと、
入力された回数と認証に失敗した回数の最高数とを比較する比較サブステップと、
前記比較サブステップにおいて、入力した回数が認証に失敗した回数の上限以下の場合、指紋認識モジュールを駆動して、ユーザから指紋を採取し、該採取された指紋のデータと記憶部に記憶されている指紋のデータとを照合して認証し、認証に成功した場合、読み込みステップに進み、認証に失敗した場合、触発サブステップに進む認証サブステップと、
前記比較サブステップにおいて、入力された回数が認証に失敗した回数の上限より大きい場合、パスワード管理装置をロックして停止させるロックサブステップと、
を備えることを特徴とする請求項９又は１０に記載のパスワード管理システム。
【請求項１２】
前記パスワード管理システムは、
前記ログインの際に必要なアプリケーションシステムサイトのアドレスのデータに基づいて、パスワード管理装置にアプリケーションシステムにログインするためのログイン名とパスワードとのデータが記憶されているかどうかを検索し、
記憶されていない場合、ユーザがログイン画面の入力欄に入力したログイン名とパスワードとを受信し、且つそのログイン名とパスワードとのデータを、前記パスワード管理装置の記憶部に記憶するステップをさらに備えることを特徴とする請求項９〜１１のいずれか１項に記載のパスワード管理システム。
【請求項１３】
前記パスワード管理システムは、ログイン名とパスワードとを保護する保護ステップをさらに備え、
前記保護ステップは、
バックアップボタンを１回押圧する押圧サブステップと、
コンピュータ上に、ログイン名とパスワードとの保護画面を開き、ユーザが入力したログイン名とパスワードとのデータを受信し、且つ記憶部に記憶させる修正サブステップと、
ログイン名とパスワードとのバックアップファイルを、予備設定されたルートに沿って入力してコンピュータに記憶させて、保護ステップを終了する出力サブステップと、
バックアップボタンを２回押圧して、コンピュータの予備設定されたルートに、ログイン名とパスワードとのバックアップファイルが、記憶されているかどうかを検索し、前記ログイン名とパスワードとのバックアップファイルが記憶されていない場合、前記修正サブステップに戻り、前記ログイン名とパスワードとのバックアップファイルが記憶されている場合、下記の入力サブステップに進む検索サブステップと、
ログイン名とパスワードバックアップとのファイルを、コンピュータから前記パスワード管理装置に入力して、前記パスワード管理装置の既存のデータと書き替える入力サブステップと、
を備えることを特徴とする請求項９〜１２のいずれか１項に記載のパスワード管理システム。
【発明の詳細な説明】
【技術分野】
【０００１】
本発明は、制御回路に関し、パスワード管理装置、そのパスワード管理システム、及びその管理方法に関するものである。
【背景技術】
【０００２】
現在、仕事、生活等において、あらゆる面でデータシステムを使用している。このデータシステムの安全性を高めるため、ログイン名及びパスワードを設定して、データシステムを使用する。しかし、このログイン名及びパスワードは自身で覚えなければならず、これらを忘れた場合、操作に不便であり、且つ従来のパスワード管理装置の安全性も低い。
【発明の概要】
【発明が解決しようとする課題】
【０００３】
以上の問題点に鑑みて、本発明は、操作が容易で、且つ安全性が高いパスワード管理装置、そのパスワード管理システム、及びその管理方法を提供することを目的とする。
【課題を解決するための手段】
【０００４】
上記の課題を解決するために、本発明のパスワード管理装置は、ＵＳＢインターフェースと、記憶部と、を備える。パスワード管理装置がＵＳＢインターフェースを介してコンピュータと接続されると、ユーザから指紋を採取し、該採取した指紋とパスワード管理装置に記憶されている指紋とを照合して、一致するかどうかを認証する指紋認識モジュールと、ユーザの指紋の認証に失敗した場合、警報を鳴らす警報器と、ユーザの指紋の認証に成功した場合、押圧されてそれと接続されているコンピュータでログインの際に必要なアプリケーションシステムのログイン画面を開く検索ボタンと、押圧されて、記憶部からログイン名のデータを引き出し、且つ該ログイン名のデータをログイン画面のログイン名の入力欄に書き込むログイン名抽出ボタンと、押圧されて、記憶部からパスワードのデータを引き出し、且つ該パスワードのデータをログイン画面のパスワードの入力欄に書き込むパスワード抽出ボタンと、をさらに備える。
【０００５】
上記の課題を解決するために、本発明のパスワード管理方法は、パスワード管理装置に応用される。パスワード管理装置をＵＳＢインターフェースを介してコンピュータに接続する接続ステップと、記憶部にユーザの指紋のデータが記憶されている場合、指紋認識モジュールを駆動してユーザから採取し、該採取された指紋とパスワード管理装置に記憶されている指紋とを照合して、一致するかどうかを認証する認証ステップと、採取された指紋とパスワード管理装置に記憶されている指紋とが一致する場合、検索ボタンを押圧して、ログイン画面を開くと共に、ログインの際に必要なアプリケーションシステムサイトのアドレスを読み込む読み込みステップと、該サイトのアドレスの情報に基づいてパスワード管理装置に記憶されているアプリケーションシステムにログインに必要なログイン名とパスワードとを検索した場合、パスワード管理装置のログイン名抽出ボタンとパスワード抽出ボタンとを押圧して、ログイン名のデータとパスワードのデータとをログイン画面上の入力欄に書き込む書き込みステップと、を備える。
【０００６】
上記の課題を解決するために、本発明のパスワード管理システムは、パスワード管理装置に応用される。記憶部にユーザの指紋のデータが記憶されている場合、指紋認識モジュールを駆動してユーザから採取し、該採取された指紋とパスワード管理装置に記憶されている指紋とを照合して、一致するかどうかを認証する認証ステップと、採取された指紋とパスワード管理装置に記憶されている指紋とが一致する場合、検索ボタンを押圧して、ログイン画面を開くと共に、ログインの際に必要なアプリケーションシステムサイトのアドレスを読み込む読み込みステップと、該サイトのアドレスの情報に基づいてパスワード管理装置に記憶されているアプリケーションシステムにログインに必要なログイン名とパスワードとを検索した場合、パスワード管理装置のログイン名抽出ボタンとパスワード抽出ボタンとを押圧して、ログイン名のデータとパスワードのデータとをログイン画面上の入力欄に書き込む書き込みステップと、を備える。
【発明の効果】
【０００７】
本発明のパスワード管理装置、そのパスワード管理システム、及びその管理方法は、指紋識別によって、ユーザのデータを保護すると同時に記憶して、自動的にシステムのログイン画面の入力欄にログイン名及びパスワードを入力することができるため、操作が容易で、且つ安全性も高い。
【図面の簡単な説明】
【０００８】
【図１】本発明に係るパスワード管理装置の構造図である。
【図２】本発明に係るパスワード管理システムの構造図である。
【図３】図２に示したパスワード管理システムの機能モジュールの構造図である。
【図４】本発明に係るパスワード管理方法の流れ図である。
【図５】図４に示したステップＳ２２の流れ図である。
【図６】図４に示したステップＳ２５の流れ図である。
【図７】図３に示したパスワード管理方法の、ログイン名とパスワードとを保護する際の流れ図である。
【発明を実施するための形態】
【０００９】
以下、図面に基づいて、本発明に係るパスワード管理装置、そのパスワード管理システム、及びその管理方法について詳細に説明する。
【００１０】
図１に示したように、本発明に係るパスワード管理装置１は、記憶装置、携帯電話、タブレットパソコン、ＰＤＡなどの携帯式の電子装置である。パスワード管理装置１は、ＵＳＢインターフェース１０と、制御器１２と、記憶部１４と、指紋認識モジュール１６と、警報器２０と、電源２２と、通信チップ２４と、検索ボタン２６と、ログイン名抽出ボタン２８と、パスワード抽出ボタン３０と、を備える。ＵＳＢインターフェース１０は、コンピュータ２の通信インターフェースである。制御器１２は、パスワード管理装置１とコンピュータ２の指令によって、パスワード管理装置１の各部材の正常的な作動を御制する。また、記憶部１４には、パスワード管理装置１が処理の際に必要とする全てのデータが記憶されている。
【００１１】
指紋認識モジュール１６は、指紋採取器と、ＲＦチップと、１つの赤外線光源と、を備える。指紋認識モジュール１６は、ユーザから採取した指紋とパスワード管理装置１に記憶されている指紋とを照合し、ユーザから採取した指紋とパスワード管理装置１に記憶されている指紋とが一致した場合、ユーザの指紋の認証に成功し、パスワード管理装置１は正常的に動作する。ユーザの指紋の認証に失敗した場合、警報器２０が鳴る。電源２２は、パスワード管理装置１の各部材に給電する。パスワード管理装置１とコンピュータ２とは、通信チップ２４によって通信する。
【００１２】
検索ボタン２６が押圧されると、ログイン画面が開かれると同時に、ログインの際に必要なアプリケーションシステムサイトのアドレスが読み込まれ、且つパスワード管理装置１にアプリケーションシステムにログインするためのログイン名及びパスワードのデータが記憶されているかどうかが検索される。
【００１３】
ログイン名抽出ボタン２８を押圧すると、ログイン名のデータが、パスワード管理装置１から引き出され、この引き出されたログイン名のデータは、ログイン画面のログイン名入力欄に書き込まれる。
【００１４】
パスワード抽出ボタン３０を押圧すると、パスワードのデータが、パスワード管理装置１から引き出され、この引き出されたパスワードのデータは、ログイン画面のパスワード入力欄に書き込まれる。
【００１５】
本実施形態において、パスワード管理装置１は、バックアップボタン３４をさらに備える。このバックアップボタン３４を押圧すると、バックアップファイルが、予備設定されたルートによって入力され、且つコンピュータ２に記憶される。バックアップボタン３４を２回押圧すると、コンピュータ２に記憶されているログイン名及びパスワードのバックアップファイルが、直接パスワード管理装置１に入力され、且つ既存のファイルと書き替えられる。
【００１６】
図２に示したように、パスワード管理システム１８は、記憶部１４に記憶され、パスワード管理装置１は、ＵＳＢインターフェース１０及び通信チップ２４を介してコンピュータ２と通信する。
【００１７】
図３に示したように、パスワード管理システム１８は、パスワード管理装置１上で運行される。本実施形態において、パスワード管理システム１８は、１つ、或いは複数のモジュールに分けられ、この１つ、或いは複数のモジュールは、パスワード管理装置１の記憶部１４に記憶され、且つ１つ、或いは複数の制御器（つまり、パスワード管理装置１の制御器１２）によって実行される。パスワード管理システム１８は、判断モジュール１００と、認証モジュール１０１と、読み込みモジュール１０２と、検索モジュール１０３と、引き出しモジュール１０４と、受信モジュール１０５と、リセットモジュール１０６と、御制モジュール１０７と、保護モジュール１０８と、を備える。リセットモジュール１０６は、第一設定モジュール１０６１と、第二設定モジュール１０６２と、第三設定モジュール１０６３と、に分けられる。御制モジュール１０７は、駆動モジュール１０７０と、増加モジュール１０７１と、対比モジュール１０７２と、ロックモジュール１０７３と、に分けられる。保護モジュール１０８は、変更モジュール１０８０と、出力モジュール１０８１と、検索モジュール１０８２と、入力モジュール１０８３と、に分けられる。
【００１８】
図４に示したように、パスワード管理の方法は、以下のステップ（Ｓ２０〜Ｓ２９）を備える。ステップＳ２０において、接続ステップは、パスワード管理装置１を、ＵＳＢインターフェース１０を介してコンピュータ２に接続させ、且つ通信チップ２４を介してコンピュータ２と通信させる。ステップＳ２１において、判断モジュール１００は、記憶部１４にユーザの指紋データが記憶されているかどうかを判断し、ユーザの指紋データが記憶されていない場合、ステップＳ２２に進み、ユーザの指紋データが記憶されている場合、ステップＳ２３に進む。ステップＳ２２において、パスワード管理装置１を初期化する。ステップＳ２３において、指紋認識モジュール１６を駆動してユーザの指紋を採取し、認証モジュール１０１は、この採取した指紋データと記憶部１４に記憶されている指紋のデータとを照合して認証する。ステップＳ２４において、認証ステップの認証モジュール１０１は、指紋の認証が成功したかどうかを判断する。つまり、前記採取した指紋のデータが、記憶部１４に記憶されている指紋のデータと一致した場合、認証は成功し、ステップＳ２６に進み、前記採取した指紋のデータが、記憶部１４に記憶されている指紋のデータと一致しない場合、ステップＳ２５に進む。ステップＳ２５において、指紋の認証に失敗したその結果を処理する。ステップＳ２６の読み込みステップにおいて、検索ボタン２６を押圧してコンピュータ２上のアプリケーションシステムのログイン画面を開き、且つ読み込みモジュール１０２を作動してログインの際に必要なアプリケーションシステムのサイトアドレスを読み込む。ステップＳ２７において、検索モジュール１０３は、読み込んだアプリケーションシステムのサイトアドレスに基づいて、パスワード管理装置１中に、ユーザがアプリケーションシステムにログインする際に必要とするログイン名及びパスワードのデータが記憶されているかどうかを検索する。ログイン名及びパスワードのデータが記憶されている場合、ステップＳ２９に進み、記憶されていない場合、ステップＳ２８に進む。ステップＳ２８の書き込みステップにおいて、パスワード管理装置１のログイン名抽出ボタン２８とパスワード抽出ボタン３０とが押圧された場合、引き出しモジュール１０４は、記憶部１４に記憶されているログイン名とパスワードとのデータを引き出し
、且つこのデータをログイン画面上のログイン名とパスワードの入力欄に入力する。ログイン名とパスワードとのデータが、ログイン画面上の対応する入力欄に入力されると、ユーザはアプリケーションシステムにログインすることができる。ステップＳ２９において、受信モジュール１０５は、ログイン画面に、ユーザが入力したアプリケーションシステムのログイン名とパスワードとを受信し、且つこの受信したログイン名とパスワードを、パスワード管理装置１の記憶部１４に記憶する。
【００１９】
図５に示したように、ステップＳ２２は、リセット方法であり、以下のステップ（Ｓ２２０〜Ｓ２２３）を備える。ステップＳ２２０の採取ステップにおいて、コンピュータ２の画面上に初期化の設定画面が出現する。次いで、パスワード管理装置１の指紋認識モジュール１６が作動して、ユーザの指紋データを採取し、且つ記憶部１４に記憶する。ステップＳ２２１において、第一設定ステップの第一設定モジュール１０６１は、認証が失敗した回数の上限を設定し、且つ該上限を記憶部１４に記憶する。ステップＳ２２２において、第二設定ステップの第二設定モジュール１０６２は、警報器２０の警報音の効果を設定し、且つ該効果を記憶部１４に記憶する。ステップＳ２２３において、第三設定ステップの第三設定モジュール１０６３は、警報器２０の警報灯の色を設定し、且つ該警報灯の色を記憶部１４に記憶する。
【００２０】
図６に示したように、ステップＳ２５は、処理方法であり、以下のステップ（Ｓ２５０〜Ｓ２５６）を備える。ステップＳ２５０の触発サブステップにおいて、認証が失敗した場合、駆動モジュール１０７０は、警報器２０を駆動して警報音を鳴らす。ステップＳ２５１において、増加サブステップの増加モジュール１０７１は、毎回ログイン名とパスワードが入力される度に、１をプラスする（つまり、ログイン名とパスワードが入力された回数を記憶する）。ステップＳ２５２において、比較サブステップの対比モジュール１０７２は、入力された回数と認証に失敗した回数の上限とを比較して、入力された回数が認証に失敗した回数の上限以下の場合、ステップＳ２５３に進み、入力された回数が認証に失敗した回数の上限より大きい場合、ステップＳ２５４に進む。ステップＳ２５３の認証サブステップにおいて、指紋認識モジュール１６を駆動させて、ユーザから指紋を採取し、認証モジュール１０１は、この採取した指紋のデータと記憶部１４に記憶されている指紋のデータとを照合して認証する。認証に成功した場合、ステップＳ２６に進み、認証に失敗した場合、ステップＳ２５０に戻る。ステップＳ２５４において、ロックサブステップのロックモジュール１０７３は、パスワード管理装置１をロックすると共に、動作を停止させる。ステップＳ２５５の受信サブステップにおいて、ユーザの指令を受信し、この受信した指令に基づいて、パスワード管理装置１を再設定（ｒｅｓｅｔ）する必要があるかどうかを判断する。パスワード管理装置１を再設定する必要がある場合、ステップＳ２５６に進み、パスワード管理装置１を再設定する必要がない場合、ステップは終了する。ステップＳ２５６において、再設定ボタンを押圧して、パスワード管理装置１を初期化する。即ち、ステップＳ２２に進む。
【００２１】
図７に示したように、ログイン名とパスワードとの保護操作は、以下のステップ（Ｓ４０〜Ｓ４４）を備える。指紋の認証に成功した場合、パスワード管理装置１のバックアップボタン３４によって、ログイン名とパスワードとの保護操作が行なわれる。ステップＳ４０の押圧サブステップにおいて、バックアップボタン３４を１回押圧する。ステップＳ４１の記憶するステップにおいて、コンピュータ２上に、ログイン名とパスワードとの保護画面が開かれ、修正サブステップの変更モジュール１０８０は、ユーザが入力したログイン名とパスワードとを受信し、この受信したログイン名とパスワードを記憶部１４に記憶する。ユーザは、必要に応じてバックアップボタン３４を押圧する回数を設定して、保護画面を開くことができる。ステップＳ４２において、出力サブステップの出力モジュール１０８１は、ログイン名とパスワードとのバックアップファイルを、予備設定されているルートに沿ってコンピュータ２に出力して、保護操作を終了する。ステップＳ４３において、バックアップボタン３４を２回押圧した場合、検索サブステップの検索モジュール１０８２は、コンピュータ２の予備設定されたルートに、ログイン名とパスワードとのバックアップファイルが、記憶されているかどうかを検索し、記憶されていない場合、ステップＳ４１に進み、記憶されている場合、ステップＳ４４に進む。ステップＳ４４において、入力サブステップの入力モジュール１０８３は、ログイン名とパスワードのバックアップファイルを、コンピュータ２からパスワード管理１に入力して、パスワード管理装置１に既存のデータを書き替えて、保護操作を終了する。ユーザは、必要に応じて、バックアップボタン３４を押圧する回数を設定して、コンピュータ２の予備設定されたルートに、ログイン名とパスワードとのバックアップファイルが、記憶されているかどうかを検索することができる。
【符号の説明】
【００２２】
１        パスワード管理装置
１０      ＵＳＢインターフェース
１００    判断モジュール
１０１    認証モジュール
１０２    読み込みモジュール
１０３    検索モジュール
１０４    引き出しモジュール
１０５    受信モジュール
１０６    リセットモジュール
１０６１  第一設定モジュール
１０６２  第二設定モジュール
１０６３  第三設定モジュール
１０７    御制モジュール
１０７０  駆動モジュール
１０７１  増加モジュール
１０７２  対比モジュール
１０７３  ロックモジュール
１０８    保護モジュール
１０８０  変更モジュール
１０８１  出力モジュール
１０８２  検索モジュール
１０８３  入力モジュール
１２      制御器
１４      記憶部
１６      指紋認識モジュール
１８      パスワード管理システム
２        コンピュータ
２０      警報器
２２      電源
２４      通信チップ
２６      検索ボタン
２８      ログイン名抽出ボタン
３０      パスワード抽出ボタン
３２      再設定ボタン
３４      バックアップボタン
【図１】
2013242868.tif 000003
【図２】
2013242868.tif 000004
【図３】
2013242868.tif 000005
【図４】
2013242868.tif 000006
【図５】
2013242868.tif 000007
【図６】
2013242868.tif 000008
【図７】
2013242868.tif 000009